(57)【要約】【課題】  義歯の装着状態において、口腔内の歯槽堤に対するぐらつきやがたつきを抑えた、安定性のある義歯を提供する。【解決手段】人工歯２と、前記人工歯２を保持する義歯床３と、を備える義歯１である。この義歯１において、前記義歯床３は、口腔内の歯槽堤２０の上面２０ａを覆う上部３ａと、前記歯槽堤２０の外側側面２０ｂを覆う側部３ｂと、から構成され、前記側部３ｂの裏面に、前記外側側面２０ｂに形成した穴部２０ｃに挿入する挿入ピン１０を設ける。【選択図】図２
0003219924.tif 000002
【実用新案登録請求の範囲】
【請求項１】
人工歯と、前記人工歯を保持する義歯床と、を備える義歯であって、
前記義歯床は、口腔内の歯槽堤の上面を覆う上部と、前記歯槽堤の外側側面を覆う側部と、から構成され、
前記側部の裏面に、前記外側側面に形成した穴部に挿入する挿入ピンを設ける
ことを特徴とする、義歯。
【請求項２】
前記穴部は、貫通穴である
ことを特徴とする、請求項１に記載の義歯。
【考案の詳細な説明】
【技術分野】
【０００１】
本考案は、人工歯と人工歯を保持する義歯床を備える義歯に関する。
【背景技術】
【０００２】
従来、義歯床を口腔内の歯槽堤に覆わせることで、義歯を口腔内に装着することが知られている（例えば、特許文献１参照）。
【０００３】
特許文献１に記載の義歯は、人工歯を支持する支持床部と、支持床部に連結され歯槽堤に沿うよう延設された頬側部と内側部とを有し、支持床部が硬質の樹脂により形成され、頬側部及び内側部が柔軟な樹脂により形成されている構成が開示されている。これにより、装着者の口腔表面に対する義歯床の密着性を改善する。
【先行技術文献】
【特許文献】
【０００４】
【特許文献１】特開２００５−１７７１７２号公報
【考案の概要】
【考案が解決しようとする課題】
【０００５】
しかしながら、特許文献１に記載の義歯は、単に頬側部と内側部とを装着者の歯槽堤に密着させているだけであり、歯槽堤に対してぐらついてしまう、という問題がある。
【０００６】
そこで、本考案は、義歯の装着状態において、口腔内の歯槽堤に対するぐらつきを抑えることができる義歯を提供することを目的とする。
【課題を解決するための手段】
【０００７】
前記目的を達成するために、本考案の義歯は、人工歯と、前記人工歯を保持する義歯床と、を備える義歯であって、前記義歯床は、口腔内の歯槽堤の上面を覆う上部と、前記歯槽堤の外側側面を覆う側部と、から構成され、前記側部の裏面に、前記外側側面に形成した穴部に挿入する挿入ピンを設けることを特徴とする。
【考案の効果】
【０００８】
このように構成された本考案の義歯では、義歯の装着状態において、口腔内の歯槽堤に対するぐらつきを抑えることができる。
【図面の簡単な説明】
【０００９】
【図１】実施例１の義歯の構成を示す斜視図である。
【図２】実施例１の義歯の構成を示す断面図である。
【図３】実施例１の義歯の装着方法を示す分解図である。
【図４】別の実施例の義歯の構成を示す斜視図である。
【考案を実施するための形態】
【００１０】
以下、本考案による義歯を実現する実施形態を、図面に示す実施例１に基づいて説明する。
【実施例１】
【００１１】
［義歯の構成］
図１は、実施例１の義歯の構成を示す斜視図である。図２は、実施例１の義歯の構成を示す断面図である。以下、図１及び図２に基づいて、実施例１の義歯の構成を説明する。
【００１２】
義歯１は、図１及び図２に示すように、下顎用の義歯であり、人工歯２と、人工歯２が取り付けられた義歯床３と、２つの挿入ピン１０と、を備える。
【００１３】
人工歯２は、例えばセラミックで形成され、義歯床３に取り付けられる。
【００１４】
義歯床３は、例えば硬質の樹脂で形成され、略水平に延在する上部３ａと、上部３ａの外縁から下方に延在する側部３ｂと、で断面略Ｌ字状になっている。
【００１５】
上部３ａは、口腔内の歯槽堤２０の上面２０ａを覆い、側部３ｂは、歯槽堤２０の外側側面２０ｂを覆うように形成される。側部３ｂには、挿入ピン１０の一部が埋め込まれる。
【００１６】
挿入ピン１０は、例えば金属製であり、挿入ピン本体１０ａと、挿入ピン基部１０ｂと、でＬ字状に形成される。挿入ピン１０は、断面円状で、直径略１ミリに形成される。挿入ピン１０は、犬歯に対応する位置に、それぞれ、設けられる。
【００１７】
挿入ピン基部１０ｂが、側部３ｂに埋め込まれることで、挿入ピン１０は、義歯床３に取り付けられる。挿入ピン本体１０ａは、側部３ｂの裏面から、装着者から見て後方に、水平方向に延びるように形成される。２つの挿入ピン本体１０ａは、平行に配置され、義歯１を装着する際に、穴部２０ｃに容易に挿入できるようになっている。挿入ピン本体１０ａは、例えば１０ミリの長さＬを有する。
【００１８】
口腔内の歯槽堤２０の外側側面２０ｂには、挿入ピン本体１０ａより若干大きな直径の穴部２０ｃが、例えばレーザ加工機等により形成されている。穴部２０ｃには、挿入ピン本体１０ａが挿入可能となっている。穴部２０ｃは、歯槽堤２０の内側側面２０ｄまで貫通する貫通穴とすることができる。
【００１９】
［義歯の装着方法］
図３は、実施例１の義歯の装着方法を示す分解図である。以下、図３に基づいて、実施例１の義歯の装着方法を説明する。
【００２０】
装着者は、義歯１を指でつかみ、口腔内へ挿入する。そして、装着者は、例えば鏡越しに、挿入ピン１０と歯槽堤２０の穴部２０ｃとを確認しながら、挿入ピン１０を穴部２０ｃに挿入する。そして、義歯床３を歯槽堤２０に密着させる。これにより、義歯１を装着する。
【００２１】
義歯１の装着状態では、図２に示すように、義歯１の側面が唇３０の内面と当接する。
【００２２】
［義歯の作用］
以下、実施例１の義歯１の作用について説明する。実施例１の義歯１は、人工歯２と、人工歯２を保持する義歯床３と、を備える義歯１であって、義歯床３は、口腔内の歯槽堤２０の上面２０ａを覆う上部３ａと、歯槽堤２０の外側側面２０ｂを覆う側部３ｂと、から構成され、側部３ｂの裏面に、外側側面２０ｂに形成した穴部２０ｃに挿入する挿入ピン１０を設ける（図２）。
【００２３】
これにより、装着者から見た左右方向において、義歯１を歯槽堤２０に対して位置規制をすることができる。また、義歯１は、図２に示すように、唇３０の内面によって支持されるため、装着者から見た前後方向のぐらつきを防ぐことができる。そのため、義歯１の装着状態において、口腔内の歯槽堤２０に対するぐらつきを抑えることができる。
【００２４】
また、義歯１を装着する際に、鏡越しに、挿入ピン１０と穴部２０ｃを確認することができる。そのため、義歯１を容易に装着することができる。
【００２５】
また、義歯１の装着状態では、挿入ピン１０が穴部２０ｃに挿入されるため、外部から挿入ピン１０が見えないようにすることができる。そのため、義歯１の装着状態において、見た目をスッキリさせることができる。
【００２６】
実施例１の義歯１では、穴部２０ｃは、貫通穴である（図２）
【００２７】
これにより、穴部２０ｃに異物が入った際に、穴部２０ｃに棒状の物（例えば、綿棒）を挿入して、異物を除去することができる。そのため、口腔内を清潔に保つことができる。
【００２８】
以上、本考案の義歯を実施例１に基づき説明した。しかし、具体的な構成と動作については、この実施例に限られるものではなく、実用新案登録請求の範囲の各請求項に係る考案の要旨を逸脱しない限り、設計の変更や追加等は許容される。
【００２９】
実施例１では、義歯１を総義歯とする例を示した。しかし、義歯は、図４に示すように、部分義歯１０１であってもよい。この場合、挿入ピン１０は、１つであってもよい。
【００３０】
実施例１では、挿入ピン本体１０ａは、側部３ｂの裏面から、装着者から見て後方に、水平方向に延びるように形成される例を示した。しかし、挿入ピン本体は、側部３ｂの裏面から、装着者から見て後方に、水平方向に対して傾斜した方向に延びるように形成されてもよい。
【００３１】
実施例１では、２つの挿入ピン１０を別体とする例を示した。しかし、挿入ピンとしては、２つの挿入ピン本体が、１つの挿入ピン基部で連結された一体の部品としてもよい。
【００３２】
実施例１では、挿入ピン１０を２つ設ける例を示した。しかし、挿入ピンは、１つだけ設けてもよいし、３つ以上設けてもよい。
【００３３】
実施例１では、義歯１を下顎用とする例を示した。しかし、義歯としては、上顎用であってもよい。
【符号の説明】
【００３４】
１        義歯
２        人工歯
３        義歯床
３ａ      上部
３ｂ      側部
１０      挿入ピン
２０      歯槽堤
２０ａ    上面
２０ｂ    外側側面
２０ｃ    穴部
【図１】
0003219924.tif 000003
【図２】
0003219924.tif 000004
【図３】
0003219924.tif 000005
【図４】
0003219924.tif 000006